(57)【特許請求の範囲】
【請求項１】
全体がゴム状弾性体またはエラストマからなるものであって、所定の緩衝機能を発揮するように形成されたボデー部と、当該ボデー部の一方の端部側に設けられるものであってパネル部材への取付けに供せられる係合部と、からなるクッションにおいて、上記ボデー部を円柱状または円錐台の形態からなるようにするとともに、これら円柱状部の底面部または円錐台の底面部を形成するその周縁部のところに、上記底面部に対してほぼ直立するように形成されたヒレ状部を設け、更に、上記係合部を、上記底面部に対して直立状に設けられる筒状部と、当該筒状部の先端部のところから上記底面部側に向って開くように設けられるものであって上記筒状部の軸線に対して放射状に設けられる４本の係合爪と、からなるようにするとともに、上記４本の係合爪のうちのいずれか２本のものであって相対向するものの先端部と上記底面部側に設けられるヒレ状部の先端部とが同一の平面内に存するようにし、更には、残りの相対向する係合爪の先端部にて形成される面と上記底面部側に設けられたヒレ状部の先端部にて形成される面との間に所定の隙間を設けるようにしたことを特徴とするクッション。
【請求項２】
全体がゴム状弾性体またはエラストマからなるものであって、所定の緩衝機能を発揮するように形成されたボデー部と、当該ボデー部の一方の端部側に設けられるものであってパネル部材への取付けに供せられる係合部と、からなるクッションにおいて、上記ボデー部を円柱状または円錐台の形態からなるようにするとともに、これら円柱状部の底面部または円錐台の底面部のところに、上記係合部側に向って突出するように形成された複数の突起部を設け、更に、上記係合部を、上記底面部に対して直立状に設けられる筒状部と、当該筒状部の先端部のところから上記底面部側に向って開くように設けられるものであって上記筒状部の軸線に対して放射状に設けられる４本の係合爪と、からなるようにし、このような構成からなるものにおいて、上記４本の係合爪のうちのいずれか２本のものであって相対向するものの先端部と上記底面部側に設けられる突起部の先端部とが同一の平面内に存するようにし、更に、残りの相対向する係合爪の先端部にて形成される面と上記底面部側に設けられた突起部の先端部にて形成される面との間に所定の隙間を設けるようにしたことを特徴とするクッション。
【請求項３】
請求項１記載のクッションにおいて、上記ボデー部を形成する底面部の中央部のところであって係合部を形成する筒状部の付け根部のところに、上記底面部側から隆起するように形成されるものであって円錐台状の形態からなるとともにパネル部材に設けられた取付穴に嵌合するように形成されたボス部を設けるようにし、更には、当該ボス部を形成する円錐台状の上面部を、上記ヒレ状部の先端部にて形成される面よりも上記係合部側に向かって突出させるようにした構成からなることを特徴とするクッション。
【請求項４】
請求項３記載のクッションにおいて、上記ヒレ状部の先端部にて形成される面と上記筒状部に設けられる係合爪の先端部にて形成される面との間に、所定の隙間を設けるようにした構成からなることを特徴とするクッション。
【発明の詳細な説明】
【０００１】
【発明の属する技術分野】
本発明は、ドアあるいはリッド等に設けられるものであってこれらドアあるいはリッド等の閉時に、当該ドア等に入力する衝撃力（荷重）を緩和させるようにしたクッションに関するものであり、特に、その装着性（組付性）に優れているとともに、一旦組付けられた後は脱落等の問題の生ずることのないようにしたクッションに関するものである。
【０００２】
【従来の技術】
従来のこれらのクッションは、例えば図９に示す如く、円錐台状の形態からなるものであって衝撃吸収機能を発揮するボデー部１０と、当該円錐台状ボデー部１０の底面部１１０に設けられるものであって円環状の形態からなるとともにテーパ面からなる挿入部３０を有する係合部２０と、からなるものである。そして、これらがゴム部材等にて一体的に形成されるようになっているものである。
【０００３】
【発明が解決しようとする課題】
ところで、このような構成からなるクッションを所定のパネル部材９０（図９参照）等に取付けようとすると、上記挿入部３０がゴム部材からなるものである場合、パネル部材９０との間において滑り性が良くなく、これに対処するために潤滑材を塗布したりしているが、それでも装着性（組付性）が充分ではないと言う問題点がある。この装着性（組付性）の問題点を解決するためにパネル部材９０側の取付穴の径を大きくしたり、または係合部２０を爪状の部材からなるようにしている場合がある。しかしながら、この装着性を優先させるようにすると、装着された後（組付けられた後）において、当該組付け部にガタが生じたりしてクッション自体が脱落するおそれがあると言う問題点がある。このような問題点を解決するために、ボデー部と係合部との間に所定のバネ反力に基づく緊迫力を持たせるようにし、これによって装着性（組付性）に優れているとともに、組付けられた後は脱落等の問題の生ずることのないようにしたクッションを提供しようとするのが、本発明の目的（課題）である。
【０００４】
【課題を解決するための手段】
上記課題を解決するために、本発明においては、次のような手段を講ずることとした。すなわち、請求項１記載の発明においては、全体がゴム状弾性体またはエラストマからなるものであって、所定の緩衝機能を発揮するように形成されたボデー部と、当該ボデー部の一方の端部側に設けられるものであってパネル部材への取付けに供せられる係合部と、からなるクッションに関して、上記ボデー部を円柱状または円錐台の形態からなるようにするとともに、これら円柱状部の底面部または円錐台の底面部を形成するその周縁部のところに、上記底面部に対してほぼ直立するように形成されたヒレ状部を設け、更に、上記係合部を、上記底面部に対して直立状に設けられる筒状部と、当該筒状部の先端部のところから上記底面部側に向って開くように設けられるものであって上記筒状部の軸線に対して放射状に設けられる４本の係合爪と、からなるようにするとともに、上記４本の係合爪のうちのいずれか２本のものであって相対向するものの先端部と上記底面部側に設けられるヒレ状部の先端部とが同一の平面内に存するようにし、更には、残りの相対向する係合爪の先端部にて形成される面と上記底面部側に設けられたヒレ状部の先端部にて形成される面との間に所定の隙間を設けるようにした構成を採ることとした。
【０００５】
このような構成を採ることにより、本発明のものにおいてはパネル部材への取付け（装着）が円滑に行なわれることとなる。すなわち、パネル部材に設けられた取付穴等への装着に当っては、上記係合部を形成するものであって弾性体からなる係合爪の、その先端部をすぼめさせた状態にて上記取付穴等へ挿入することによって簡単に装着することができる。そして、このようにして装着された状態においては、当該係合爪が弾性によってもとの状態へと拡がることによって上記パネル部材に確実に係合する（取付けられる）こととなる。また、ボデー部を形成する底面部のところには、その周縁部のところに、上記係合爪と同様、弾性体からなるヒレ状部が設けられていることより、このヒレ状部の先端部がパネル部材の取付面に接触することによってバネ反力を生じさせることとなる。その結果、ボデー部、延いては、本クッション全体が上記ヒレ状部のバネ反力にてパネル部材の取付け面に確実に保持される（係合する）ようになる。
【０００６】
次に、請求項２記載の発明について説明する。このものも、その本質的な点は上記請求項１記載のものと同じである。すなわち、本発明においては、全体がゴム状弾性体またはエラストマからなるものであって、所定の緩衝機能を発揮するように形成されたボデー部と、当該ボデー部の一方の端部側に設けられるものであってパネル部材への取付けに供せられる係合部と、からなるクッションに関して、上記ボデー部を円柱状または円錐台の形態からなるようにするとともに、これら円柱状部の底面部または円錐台の底面部のところに、上記係合部側に向って突出するように形成された複数の突起部を設け、更に、上記係合部を、上記底面部に対して直立状に設けられる筒状部と、当該筒状部の先端部のところから上記底面部側に向って開くように設けられるものであって上記筒状部の軸線に対して放射状に設けられる４本の係合爪と、からなるようにし、このような構成からなるものにおいて、上記４本の係合爪のうちのいずれか２本のものであって相対向するものの先端部と上記底面部側に設けられる突起部の先端部とが同一の平面内に存するようにし、更に、残りの相対向する係合爪の先端部にて形成される面と上記底面部側に設けられた突起部の先端部にて形成される面との間に所定の隙間を設けるように構成を採ることとした。このような構成を採ることにより、本発明のものにおいては、パネル部材等への取付けが円滑に行なわれることとなる。そして、一旦取付けられた後は、ボデー部の底面部に設けられた突起部あるいは当該突起部の設けられる底面部が弾性変形をすることによって上記パネル部材の取付面との間においてバネ反力を生じさせることとなり、このバネ反力の作用にて生ずる係合爪との間における挟持力によって本クッションは上記パネル部材のところに確実に取付けられることとなる。
【０００７】
また、上記構成を採ることにより、請求項１または請求項２記載のクッションに関しては、クッションがパネル部材に取付けられた状態において、ボデー部の底面部と係合爪との間において、ボデー部側に設けられる上記ヒレ状部あるいは突起部の弾性変形によるバネ反力と、係合爪の弾性変形によるバネ反力と、が相互に重り合った状態で作用することとなり、パネル部材の取付面に対する挟持力がより高められることとなる。その結果、本クッションは上記パネル部材のところにより確実に保持される（取付けられる）こととなる。
【０００８】
また、上記請求項１または請求項２記載の発明においては、上記係合爪を当該係合爪の設けられる筒状部の軸線に対して放射状に４本設けるとともに、当該４本の係合爪のうちのいずれか２本のものであって相対向するものの先端部と上記底面部側に設けられるヒレ状部の先端部または突起部の先端部とが同一の平面内に存するようにし、更に、残りの相対向する係合爪の先端部にて形成される面と上記底面部側に設けられたヒレ状部の先端部または突起部の先端部にて形成される面との間に所定の隙間を設けるようにした構成を採ることとした。
【０００９】
このような構成を採ることにより、上記請求項１または請求項２記載の発明においては、パネル部材の取付穴への係合に当って、上記係合爪のうち、その先端部にて形成される面と上記ヒレ状部の先端部あるいは突起部の先端部にて形成される面との間に所定の隙間を有するように形成されたものが、まず、上記取付穴内へ簡単に挿入（装着）されることとなり、本クッションについての装着性の向上が図られることとなる。そして、このようにして一旦装着された後は、残りの係合爪の先端部と上記ヒレ状部の先端部あるいは突起部の先端部との間にはバネ反力に基づく強い緊迫力（挟持力）が生ずることとなり、本クッションはパネル部材の取付部に強力に保持される（係合する）こととなる。
【００１０】
次に、請求項３記載の発明について説明する。このものも、その基本的な点は上記請求項１記載のものと同じである。すなわち、本発明においては、請求項１記載のクッションに関して、ボデー部を形成する底面部の中央部のところであって係合部を形成する筒状部の付け根部のところに、上記底面部側から隆起するように形成されるものであって円錐台状の形態からなるとともにパネル部材に設けられた取付穴に嵌合するように形成されたボス部を設けるようにした構成を採ることとした。このような構成を採ることにより、本発明のものにおいては、本クッションがパネル部材に取付けられた状態において、パネル部材に設けられた取付穴の端面が上記ボス部の円錐台状傾斜面のところに接するようになるとともに、上記ヒレ状部の端面（先端部）も上記パネル部材の面に円周状に接するようになる。その結果、本クッションのパネル部材取付部におけるシール性が高められることとなり、本クッションの係合部側からの雨水の浸入等を効果的に遮断することができるようになる。
【００１１】
また、本発明のものにおいては、ボス部の円錐台状上面部が、上記ヒレ状部の先端部よりも係合爪の先端部側に向かって突出するようになっているので、パネル部材取付穴の開口端面と上記ボス部傾斜面との係合長さ（係合面積）を大きく採ることができるようになる。従って、シール部の面積が十分に確保されるようになる。その結果、シール性が高められ、雨水のボデー部側への浸入、すなわち、室内側への浸入が効率良く遮断されることとなる。
【００１２】
次に、請求項４記載の発明のものにおいては、上記ヒレ状部の先端部にて形成される面と上記筒状部に設けられる係合爪の先端部にて形成される面との間に、所定の隙間、すなわち、本クッションが取付けられるパネル部材のその板厚とほぼ同等程度の隙間を設けるようにした構成を採ることとした。このような構成を採ることにより、本発明のものにおいても、上記請求項１または請求項３記載のものと同様、パネル部材への取付部におけるシール性の向上が図られることとなる。そして、これらに加えて、本クッションの上記パネル部材への取付けの際の作業性の向上が図られることとなる。
【００１３】
【発明の実施の形態】
本発明の実施の形態について、図１ないし図８を基に説明する。本発明の第一の実施の形態（第一の実施形態）に関するものは、図１に示す如く、円錐台の形態からなるボデー部１と、当該ボデー部１を形成する円錐台の底面部１１のところに直立状に設けられるものであってパネル部材９への取付けに供せられる係合部２と、上記ボデー部１の底面部１１の周縁部のところに、上記底面部１１に対して直立するように設けられるヒレ状部３と、からなることを基本とするものである。そして、これらが、所定のエラストマ材にて一体的に成形されるようになっているものである。
【００１４】
このような構成からなるものにおいて、上記ボデー部１は、多くの場合は、図１及び図４に示す如く、円錐台の形態からなるものであるが、必ずしもこのような円錐台の形態に限られるものでは無く、場合によっては円錐形のテーパ面がほとんど認められない円柱状に近い形態からなるものであっても良い。そして、このような円錐台の底面部１１あるいは円柱状ボデー部１の一方の端面部のところには、その外周に沿って図１ないし図３に示すような薄肉部からなるヒレ状部３が設けられるようになっているものである。このヒレ状部３は、その断面形状が薄肉状の形態からなるものであり、所定の撓み剛性を有するようになっているものである。
【００１５】
なお、このような構成からなるボデー部１のその底面部１１のところには、上記ヒレ状部３に代わって、図４に示すような小さな凸部からなる突起部５が設けられる場合もある。この突起部５は、上記底面部１１の中央部に設けられる係合部２の、その筒状部２１の軸線に対して放射状に複数個設けられるようになっているものであり、その高さは上記ヒレ状部３の高さとほぼ同じような値になるように設定されている。
【００１６】
このような構成からなる上記ボデー部１の底面部１１のほぼ中央部のところに設けられる係合部２は、図２及び図３に示す如く、上記底面部１１に対して直立状に設けられる中空状の筒状部２１と、当該筒状部２１の先端部のところに放射状に設けられるものであって当該先端部から上記ボデー部１の底面部１１に向って拡がるように（開かれた状態に）設けられる複数本の係合爪２２、２５と、からなることを基本とするものである。このような基本構成からなるものにおいて、特に、本実施の形態においては、上記係合爪２２、２５は上記筒状部２１の軸線に対して４本が放射状に設けられるとともに、そのうちの相対向する２本のもの（２２、２２）は、その先端部２２１が、図２に示す如く、底面部１１の周縁部に設けられたヒレ状部３の先端部３１と同じ位置に来るように設定されているものである。すなわち、先端部２２１にて形成される面と、ヒレ状部３の先端部３１にて形成される面とは、同じ平面を形成するようになっているものである。
【００１７】
これに対して、残りの相対向する２本のもの（２５、２５）は、図３に示す如く、その先端部２５１にて形成される面と上記ヒレ状部３の先端部３１にて形成される面との間に、所定の隙間（Ｅ）が設けられるようになっているものである。そして、このＥの隙間の値が、取付けられるべきパネル部材９の、その板厚とほぼ合致するように設定されているものである。また、本係合爪２５、２５は、図５に示す如く、その長手方向に沿って筒状部２１への連結部２５２を有するようになっており、筒状部２１への一体化が図られるようになっているものである。そして、このような筒状部２１には、その横断面部において中空部２１２が設けられるとともに、当該中空部２１２を分割するようにブリッジ２１１が設けられるようになっている。従って、上記係合爪２５、２５は、その取付けられる筒状部２１と一体となって適度の剛性を有するようになっているものである。
【００１８】
次に、このような構成からなる本実施の形態のものについての、その作用等について説明する。まず、本クッションをパネル部材９に設けられた取付穴９９等に取付けるに当っては、上記係合部２を形成するものであって弾性体からなる係合爪２２、２５を上記取付穴９９等へ挿入することによって簡単に装着することができる。そして、このようにして装着された状態においては、上記係合爪２２、２５が弾性によって元の状態へと拡がることによって上記パネル部材９に確実に係合する（取付けられる）こととなる。また、このようにして一旦取付けられた後は、弾性体からなるヒレ状部３の先端部３１がパネル部材９の取付面に接触することによってバネ反力を生じさせることとなる。その結果、本クッション全体は、上記ヒレ状部３のバネ反力及び係合爪２２、２５のバネ反力によってパネル部材９の取付け面を強く挟み込むこととなり、これによって本クッションは確実にパネル部材に係合することとなる。
【００１９】
具体的には、まず、図３に示す如く、係合部２を形成する係合爪２２、２５を、パネル部材９の取付穴９９のところに挿入し、これをパネル部材９側に押し付ける（押し込む）。そうすると、係合爪２２、２５は、図２及び図３に示す如く、筒状部２１の先端部からボデー部１の底面部１１に向って拡がる（開く）ように設けられているとともに、その外側の面はテーパ面２２５、２５５を形成しているので、このテーパ面２２５、２５５を介して各係合爪２２、２５は上記取付穴９９内へと滑り込んで行く。そして、取付穴９９の板厚分を乗り越えたところで上記係合爪のうちの短か目に設定されたもの（２５、２５）の先端部２５１が図３に示すように拡がり、上記パネル部材９に係合するようになる。このような状態から、更にボデー部１及び係合部２をパネル部材９側へ押付けて、ボデー部１の底面部１１に設けられているヒレ状部３または突起部５を強引に撓ませる。これによって、図２に示す長い方の係合爪２２の先端部２２１も上記パネル部材９の取付穴９９のところを通過するようになる。その結果、係合爪２２、２５は、そのすべてが上記パネル部材９に設けられた取付穴９９のところを、それぞれの先端部２２１、２５１が通過することとなる。そして、これら先端部２２１、２５１は元の状態の開いた状態となる。これによって、本クッションはパネル部材９の取付面のところに完全に取付けられる（係合する）こととなる。
【００２０】
また、このように、本クッションがパネル部材９に装着された（組付けられた）状態においては、上記ボデー部１の底面部１１のところに設けられたヒレ状部３（図１，図２参照）の先端部３１あるいは突起部５（図４参照）の先端部が撓んで、パネル部材９の取付面との間においてバネ反力を生じさせた状態となっている。このヒレ状部３及び突起部５のバネ反力と上記係合爪２２、２５の撓み変形によるバネ反力とが相乗的に作用し合ってパネル部材９の取付穴９９周辺部には大きな緊迫力あるいは挟持力が生ずることとなる。この挟持力によって、本クッションは上記パネル部材９の取付部に強固に保持されることとなり、本クッションはガタ付いたりするようなことが無い。また、本クッションを形成する上記係合爪２５、２５及び当該係合爪２５、２５の設けられる筒状部２１周りは、図５に示す如く、連結部２５２更にはブリッジ２１１等にて、全体的に適度の剛性が確保されるようになっているので、パネル部材９に取付けられた（装着された）状態において、本クッションがガタ付いたり、あるいは思わぬ方向に傾いたりするようなことが無い。
【００２１】
次に、本発明の第二の実施形態について、図６ないし図８を基に説明する。このものも、その基本的な点は上記第一の実施の形態のものと同じである。その特徴とするところは、ボデー部１の底面部１１の、その中央部のところに円錐台状のボス部６が設けられ、このボス部６の上に係合部２を形成する筒状部２１が設けられるようになっているものである。具体的には、図６に示す如く、円錐台の形態からなるボデー部１と、当該ボデー部１を形成する円錐台の底面部１１の、その中央部に設けられるものであって円錐台状の形態からなるボス部６と、当該ボス部６の上面部６１のところに直立状に設けられるものであってパネル部材９への取付けに供せられる係合部２と、上記ボデー部１の底面部１１の周縁部のところに、上記底面部１１に対して直立するように設けられるヒレ状部３と、からなることを基本とするものである。そして、これらが、所定のエラストマ材にて一体的に成形されるようになっているものである。
【００２２】
このような構成からなるものにおいて、上記ボデー部１は、上記第一の実施の形態のところで述べたものと同様、円錐台の形態からなることを基本とするものである。また、場合によっては円錐形のテーパ面がほとんど認められない円柱状に近い形態からなるものであっても良い。そして、このような円錐台の底面部１１あるいは円柱状ボデー部１の一方の端面部のところには、その外周に沿って上記第一の実施の形態のところで述べたものと同様の薄肉部からなるヒレ状部３が設けられるようになっているものである。このヒレ状部３は、その断面形状が薄肉状の形態からなるものであり、所定の撓み剛性を有するようになっているものである。
【００２３】
このような構成からなる上記ボデー部１の底面部１１の、その中央部のところには、当該底面部１１に連続して、所定の傾斜角からなる傾斜面（テーパ面）６６を有するボス部６が設けられるようになっている。このボス部６を形成する円錐台の上面部６１のところであって、その中央部のところに係合部２が設けられるようになっているものである。そして、この係合部２は上記上面部６１に対して直立状に設けられるものであって中空部２１２及びブリッジ２１１を有する筒状部２１と、当該筒状部２１の先端部のところに放射状に設けられるものであって当該先端部から上記ボデー部１の底面部１１に向って拡がるように（開かれた状態に）設けられる複数本の係合爪２２、２５と、からなることを基本とするものである。このような基本構成からなるものにおいて、特に、本実施の形態においては、上記係合爪２２、２５は上記筒状部２１の軸線に対してそれぞれ２本ずつが放射状に設けられるとともに、各係合爪２２、２５の、それぞれの先端部２２１、２５１が形成する面と、上記底面部１１の周縁部に設けられたヒレ状部３の先端部３１が形成する面との間には、図７及び図８に示す如く、パネル部材９のその板厚とほぼ等しい値の隙間が設けられるようになっているものである。
【００２４】
また、このような構成からなるものにおいて、上記底面部１１の中央部に設けられ、上記係合部２の基礎を成すボス部６の、その上面部６１は、上記ヒレ状部３の先端部３１が成す面よりも上面側、すなわち、係合部２を形成する係合爪２２、２５の先端部２２１、２５１側に突出するようになっているものである（図７，図８参照）。但し、上記各係合爪２２、２５の先端部２２１、２５１が形成する面と上記ボス部６の上面部６１との間には、所定の隙間が形成されるようになっているものである。すなわち、本クッションが所定のパネル部材に取付けられた状態においては、上記パネル部材９の取付穴の開口端面９９１が上記ボス部６のテーパ面６６に面接触するようになっているものである。また、上記係合部２に設けられる各係合爪２２、２５は、筒状部２１に連結され、筒状部２１と一体化されるようになっているものである。そして、このような筒状部２１は、図６及び図７に示す如く、二つの中空部２１２を有する中空体からなるものであり、中心軸周りには、所定の形態からなるブリッジ２１１が設けられるようになっている。これによって、パネル部材９の取付穴９９に取付けられた状態において、適度の剛性を有するようになっているものである。
【００２５】
次に、このような構成からなる本実施の形態のものについての、その作用等について説明する。本実施の形態のものも、その基本的な点は上記第一の実施の形態のものと同じである。すなわち、まず、本クッションをパネル部材９に設けられた取付穴９９等に取付けるに当っては、上記係合部２を形成するものであって弾性体からなる係合爪２２、２５を上記取付穴９９へ挿入することによって簡単に装着することができる。そして、このようにして装着された状態においては、上記係合爪２２、２５が弾性によって元の状態へと拡がることによって上記パネル部材９に確実に係合する（取付けられる）こととなる。また、このようにして一旦取付けられた後は、弾性体からなるヒレ状部３の先端部３１がパネル部材９の取付面に接触することによってバネ反力を生じさせることとなる。その結果、本クッション全体は、上記ヒレ状部３のバネ反力及び係合爪２２、２５のバネ反力によってパネル部材９の取付け面に強固に取付けられることとなる。また、上記ボス部６のテーパ面（傾斜面）６６のところに上記パネル部材９の取付穴９９を形成する開口端面９９１がくい込むように接触することとなる。これによって本クッションは確実にパネル部材９に取付けられる（係合する）こととなる。
【００２６】
また、これらに加えて、本実施の形態のものにおいては、本クッション取付部周りにおける雨水等に対するシール性の向上が図られることとなる。具体的には、本実施の形態のものにおいては、係合部２の付け根部のところに、円錐台状の形態からなるボス部６が設けられるようになっているとともに、当該ボス部６を形成するテーパ面（傾斜面）６６のところが、パネル部材９の取付穴９９の開口端面９９１のところと面接触するようになっているので、上記係合部２を形成する筒状部２１の内径側に設けられた中空部２１２、更には当該中空部２１２に連続して形成される係合爪２２、２５の先端部２２１、２５１と上記ボス部６の上面部６１との間に形成される隙間を経由して浸入して来た雨水等を上記パネル部材９の開口端面９９１及び当該開口端面９９１とボス部６のテーパ面（傾斜面）６６との接触部にて遮断することができるようになる。そして更に、上記接触部のところを通過した雨水等は、ボデー部１の底面部１１の周辺部に設けられたヒレ状部３の先端部３１のところで堰止められることとなる。なぜなら、上記ヒレ状部３の先端部３１とパネル部材９とは緊密な状態で接触しており、シール性が高められているからである。このように、本実施の形態のものにおいては、本クッション取付部周りにおける雨水の浸入等に対して、そのシール性が高められるようになっている。
【００２７】
【発明の効果】
本発明によれば、全体がゴム状弾性体またはエラストマからなるものであって、所定の緩衝機能を発揮するように形成されたボデー部と、当該ボデー部の一方の端部側に設けられるものであってパネル部材への取付けに供せられる係合部と、からなるクッションに関して、上記ボデー部を円柱状または円錐台の形態からなるようにするとともに、これら円柱状部の底面部または円錐台の底面部を形成するその周縁部のところに、当該底面部に対してほぼ直立するように形成されたヒレ状部を設け、更に、上記係合部を、上記底面部に対して直立状に設けられる筒状部と、当該筒状部の先端部のところから上記底面部側に向って開くように設けられるものであって上記筒状部の軸線に対して放射状に設けられる複数の係合爪と、からなるようにした構成を採ることとしたので、本クッションのパネル部材への取付け（装着）が円滑に行なわれるようになった。すなわち、パネル部材に設けられた取付穴への装着に当っては、上記係合部を形成するものであって弾性体からなる係合爪を上記取付穴へ挿入することによって簡単に装着することができるようになるとともに、このようにして装着された状態においては、当該係合爪が弾性によって元の状態へと拡がることによって上記パネル部材に確実に係合する（取付けられる）こととなった。また、このようにして、一旦取付けられた後は、弾性体からなるヒレ状部の先端部がパネル部材の取付面に接触することによってバネ反力を生じさせることとなり、このバネ反力によってパネル部材の取付け面に確実に保持される（係合する）ようになった。
【００２８】
また、ボデー部の底面部のところに係合部の中心を基点にして放射状に複数の突起部を設けるようにしたものにおいても、上記のものと同様、パネル部材等への取付けが円滑に行なわれるようになった。そして、一旦取付けられた後は、ボデー部の底面部に設けられた突起部あるいは当該突起部の設けられる底面部が弾性変形をすることによって上記パネル部材の取付面との間においてバネ反力を生じさせることとなり、このバネ反力の作用にて生ずる係合爪との間における挟持力によって本クッションは上記パネル部材のところに確実に取付けられるようになった。
【００２９】
また、係合爪のうちの一部、例えば相対向するいずれか２本のものの、その先端部と上記底面部側に設けられるヒレ状部の先端部または突起部の先端部とを同一の平面内に存在させるようにし、更に、残りの相対向する係合爪の先端部にて形成される面と上記底面部側に設けられたヒレ状部の先端部または突起部の先端部にて形成される面との間に所定の隙間を設けるようにしたものにおいては、パネル部材への取付けに当って、上記係合爪のうち、その先端部にて形成される面と上記ヒレ状部の先端部あるいは突起部の先端部にて形成される面との間に所定の隙間を有するように形成されたものが、まず、上記取付穴内へ挿入（装着）されること等によって、本クッションについての装着性の向上が図られるようになった。また、このようにして一旦装着された後は、残りの係合爪の先端部と上記ヒレ状部の先端部あるいは突起部の先端部との間が同一平面を形成するように設定されている係合爪の作用によって、強いバネ反力を形成させることができるようになり、これによって本クッションをパネル部材の取付部に強力に保持させる（係合させる）ことができるようになった。
【００３０】
また、本クッションのボデー部を形成する底面部の中央部のところであって係合部を形成する筒状部の付け根部のところに、上記底面部側から隆起するように形成されるものであって円錐台状の形態からなるとともにパネル部材に設けられた取付穴に嵌合するように形成されたボス部を設けるようにした構成を採ることとしたものにおいては、本クッションがパネル部材に取付けられた状態において、パネル部材に設けられた取付穴の端面が上記ボス部の円錐台状傾斜面のところに接するようになるとともに、上記ヒレ状部の端面（先端部）も上記パネル部材の面に円周状に接するようになり、全体的に本クッションのパネル部材取付部におけるシール性の向上が図られるようになった。その結果、本クッションの係合部側からの雨水等の浸入を効果的に遮断することができるようになった。
【００３１】
また、本クッションにおける上記ボス部を形成する円錐台状の上面部を、上記ヒレ状部の先端部にて形成される面よりも上記係合部側に向かって突出させるようにしたものにおいては、パネル部材の取付穴の開口端面と上記ボス部傾斜面との係合長さ（係合面積）を大きく採ることができるようになり、シール部の面積を十分に確保することができるようになった。その結果、シール性が高められ、雨水のボデー部側への浸入、すなわち、室内側への浸入を効果的に遮断することができるようになった。
【図面の簡単な説明】
【図１】本発明の第一の実施形態に関するものの全体構成を示す斜視図である。
【図２】第一の実施形態に関するものの、その主要部を成す係合部周りの全体構成を示す半断面図及び外観図である。
【図３】第一の実施形態に関するものの、その主要部を成す一方の係合爪に関する、その構成を示す半断面図及び外観図である。
【図４】第一の実施形態に関するものの、その変形例の全体構成を示す斜視図である。
【図５】第一の実施形態に関するものの、その係合部に設けられる係合爪の構造を示す横断面図である。
【図６】本発明の第二の実施形態に関するものの、その全体構成を示す斜視図である。
【図７】第二の実施形態に関するものの、一方の係合爪とヒレ状部及びボス部との関係を示す半断面図及び外観図である。
【図８】第二の実施形態に関するものの、もう一方の係合爪とヒレ状部及びボス部との関係を示す半断面図及び外観図である。
【図９】従来例の全体構成を示す縦断面図である。
【符号の説明】
１  ボデー部
１１  底面部
２  係合部
２１  筒状部
２１１  ブリッジ
２１２  中空部
２２  係合爪
２２１  先端部
２２５  テーパ面
２５  係合爪
２５１  先端部
２５２  連結部
２５５  テーパ面
３  ヒレ状部
３１  先端部
５  突起部
６  ボス部
６１  上面部
６６  傾斜面（テーパ面）
９  パネル部材
９９  取付穴
９９１  開口端面
【図１】
0004451995.tif 000002
【図２】
0004451995.tif 000003
【図３】
0004451995.tif 000004
【図４】
0004451995.tif 000005
【図５】
0004451995.tif 000006
【図６】
0004451995.tif 000007
【図７】
0004451995.tif 000008
【図８】
0004451995.tif 000009
【図９】
0004451995.tif 000010